(57)【要約】【課題】環境に影響をうけやすい体温測定に際し、体温を正しく評価するための情報を測定する装置を提供する。【解決手段】被測定者に装着する測定装置と、測定装置で測定された体温情報を蓄積する体温記憶装置とを備える体温計であって、測定装置は、身体表面または深部の体温を測定する体温測定手段と、体温測定手段に測定時刻に達したことを知らせる第1の計時手段と、体温測定手段で測定した体温情報を記憶する第1の記憶手段と、第1の記憶手段に記憶されている体温情報を前記体温記憶装置に送信する送信手段とを有し、体温記憶装置は、測定装置から送信される体温情報を受信する受信手段と、受信手段にて受信した体温情報を記憶する第２の記憶手段と、時刻を計時する第２の計時手段と、環境情報を測定する環境測定手段とを有する。【選択図】図１
2009074847.tif 000002
【特許請求の範囲】
【請求項１】
被測定者に装着する測定装置と、該測定装置で測定された体温情報を蓄積する体温記憶装置とを備える体温計であって、
前記測定装置は、身体表面または深部の体温を測定する体温測定手段と、
該体温測定手段に測定時刻に達したことを知らせる第1の計時手段と、
前記体温測定手段で測定した体温情報を記憶する第1の記憶手段と、
該第1の記憶手段に記憶されている体温情報を前記体温記憶装置に送信する送信手段とを有し、
前記体温記憶装置は、前記測定装置から送信される体温情報を受信する受信手段と、
該受信手段にて受信した体温情報を記憶する第２の記憶手段と、
時刻を計時する第２の計時手段と、
環境情報を測定する環境測定手段とを有する体温計。
【請求項２】
前記環境情報は、室温または湿度情報を含むことを特徴とする請求項１に記載の体温計。
【請求項３】
前記測定装置は、前記第１の計時手段から通知される時刻情報により、前記体温測定手段で被測定者の身体表面または深部の体温を測定し、測定した体温情報を前記第１の計時手段から通知される時刻情報とともに前記第１の記憶手段に記憶し、前記送信手段は、前記第１の記憶手段に記憶されている体温情報と時刻情報とを対にして送信することを特徴とする請求項１または請求項２に記載の体温計。
【請求項４】
前記測定装置は、前記第１の計時手段から通知される時刻情報により、前記体温測定手段で被測定者の身体表面または深部の体温を測定し、測定した体温情報を前記第１の計時手段から通知される時刻情報とともに前記第１の記憶手段に記憶し、所定数の体温情報を測定し終わると、前記送信手段は、前記第１の記憶手段に記憶されている体温情報と時刻情報とを送信することを特徴とする請求項１または請求項２に記載の体温計。
【請求項５】
前記体温記憶装置は、前記第２の計時手段より通知される時刻情報により、前記環境測定手段で環境情報を測定し、測定した環境情報を前記第２の計時手段から通知された時刻情報とともに前記第２の記憶手段に記憶することを特徴とする請求項１から請求項４のいずれか一項に記載の体温計。
【請求項６】
前記体温記憶装置は、前記測定装置より送信された時刻情報と対になった体温情報と、前記体温記憶装置で測定した時刻情報と対になった環境情報とを照らし合わせ、時系列順に前記第２の記憶手段に記憶することを特徴とする請求項１から請求項４のいずれか一項に記載の体温計。
【発明の詳細な説明】
【技術分野】
【０００１】
本発明は、被測定者の体温を測定する体温計、特に連続的に測定する体温計に関する。
【背景技術】
【０００２】
従来より、体温を測定することは、身体の新陳代謝の状態を知る上で重要であるといわれている。低体温は新陳代謝を不活発にし、免疫力を低下させるため、さまざまな病気の原因になる。冷え性の人は、新陳代謝が不活発であることは痩せにくいため、その状態で食事制限等のダイエットを始めると充分な栄養が供給されなくなるため、さらに冷え性が悪化してしまうと言われている。
【０００３】
また女性においては、基礎体温を測定することは、妊娠可能期間や次回月経開始日等の情報を得るだけではなく、低体温症や更年期障害の発見、治療に有効である。基礎体温の測定に際しては、舌下で測定する体温測定が一般的であるが、正しい基礎体温を取得するためには、毎朝、同時刻に起床前の体温を測定しなければならない。予測式であれば、９０秒程度で測定可能とされるが、０．４℃の差をもって低温期と高温期の判断を必要とする基礎体温計では、予測式の誤差が正しい体温変化周期を捕らえることが困難になり、実測で５分程度の測定が必要になってしまっている。
【０００４】
基礎体温を無意識、非侵襲に測定する方法として、就寝中、長時間体温を測定することにより、正しい基礎体温を測定する研究が行われてきた。体温センサを被検体から離脱しないように脱着自在な装着手段に装備し、就寝中に体温を測定するものが提案されている(たとえば特許文献１参照)。また、就寝前に下着内部の収納部に体温測定装置を挿入し、就寝中に体温測定データを蓄積し、起床後に情報表示装置に収納すると体温情報が情報表示装置に伝送される構成がある(たとえば特許文献２参照)。
【特許文献１】特許第２６５５６０１号公報（２頁）
【特許文献２】特開２００５−１６４４０５号公報（３頁）
【発明の開示】
【発明が解決しようとする課題】
【０００５】
従来の技術では、被測定者の体温を就寝中に測定することは可能である一方、体温は室温の影響を受け、夏場は高め、冬場は低めに出ることもわかっている。このため、1日ごとに気温が変わるような季節の変わり目では、室温、及び湿度の環境変化が、０．４℃の差を持って低温期、及び高温期、ならびに約１ヶ月に周期性の判断を必要とする基礎体温の測定への影響も大きい。
【０００６】
また、体温は脳の視床下部にある体温中枢で調整されているが、脳障害を持つ患者においては、脳障害が視床下部に及ぶ場合、正常体温を保つことができない。このような患者の場合、体温の測定のみでは、疾病のために発熱しているのか、環境温度が高いために発熱しているかどうかの判断は困難である。
【０００７】
そこで本発明は、環境状態を加味した身体の状態を判断するための情報を得ることを目的とし、詳しくは、体温の測定と同時に、室温、湿度などの環境を測定し、測定した体温情報と環境情報を同期することにより、身体の正しい情報を取得することを目的とする。
【課題を解決するための手段】
【０００８】
本発明の体温計は、被測定者に装着する測定装置と、測定装置で測定された体温情報を蓄積する体温記憶装置とを備える体温計であって、
測定装置は、身体表面または深部の体温を測定する体温測定手段と、
体温測定手段に測定時刻に達したことを知らせる第1の計時手段と、
体温測定手段で測定した体温情報を記憶する第1の記憶手段と、
第1の記憶手段に記憶されている体温情報を前記体温記憶装置に送信する送信手段とを有し、
体温記憶装置は、測定装置から送信される体温情報を受信する受信手段と、受信手段にて受信した体温情報を記憶する第２の記憶手段と、
時刻を計時する第２の計時手段と、
環境情報を測定する環境測定手段とを有することを特徴とするものである。
【０００９】
また、環境情報は、室温、または湿度情報を含むことが好ましい。
【００１０】
さらに、測定装置は、第１の計時手段から通知される時刻情報により、体温測定手段で被測定者の身体表面または深部の体温を測定し、測定した体温情報を第１の計時手段から通知される時刻情報とともに第１の記憶手段に記憶し、送信手段は、第１の記憶手段に記憶されている体温情報と時刻情報を対にして送信することが好ましい。
【００１１】
また、測定装置は、第１の計時手段から通知される時刻情報により、体温測定手段で被測定者の身体表面または深部の体温を測定し、測定した体温情報を第１の計時手段から通知される時刻情報とともに第１の記憶手段に記憶し、所定数の体温情報を測定し終わると、送信手段は、第１の記憶手段に記憶されている体温情報と時刻情報を送信することが好ましい。
【００１２】
さらに、体温記憶装置は、第２の計時手段より通知される時刻情報により、環境測定手段で環境情報を測定し、測定した環境情報を第２の計時手段から通知された時刻情報とともに第２の記憶手段に記憶することが好ましい。
【００１３】
また、体温記憶装置は、測定装置より送信された時刻情報と対になった体温情報と、体温記憶装置で測定した時刻情報と対になった環境情報とを照らし合わせ、時系列順に第２の記憶手段に記憶することが好ましい。
【００１４】
さらに、第１の計時手段と第２の計時手段は、同期することにより、測定した体温情報と環境情報を時系列で一致させることが好ましい。
【発明の効果】
【００１５】
本発明によれば、就寝中に体温測定とともに室温、湿度など環境情報を測定するため、体温変化が身体本来のものであるのか、または環境によるものであるかを判断することが可能になり、より正しい身体情報を得ることが可能になる。また、数年にわたる体温変化と環境変化を監視することが可能になり、健康管理の観点からも、環境変化が身体に及ぼす影響を調べることが可能になる。
【発明を実施するための最良の形態】
【００１６】
以下、本発明の体温計について図を用いて詳細に説明する。
【００１７】
（第一の実施形態）
はじめに、図１を用い本発明の１つの実施形態を説明する。
本実施形態の体温計は、被測定者の身体に密着させて体温を測定する測定装置１００と、測定装置で測定された体温情報を受信し、蓄積、記憶し、さらに室温、及び湿度を測定する体温記憶装置１１０とから構成される。
【００１８】
まず、測定装置１００について説明する。第１の計時手段１０１は、時刻をカウントしており、あらかじめ設定された間隔、または所定の時刻になると、時刻情報１０２を出力する。体温測定手段１０３は、第１の計時手段１０１から時刻情報１０２が送られてくると、被測定者に密着したセンサにより体温を測定し、第１の計時手段１０１から送られてきた時刻情報１０２と体温情報を対にして、体温情報１０４として第１の記憶手段１０５に出力する。第１の記憶手段１０５は、体温測定手段１０３から送られた測定時刻を含む体温情報１０４をいったん記憶するとともに、送信手段１０６に出力する。送信手段１０６は、あらかじめ設定されている送信時刻に達すると、体温情報１０４を送信する。
【００１９】
次に、体温記憶装置１１０について説明する。第２の計時手段１１１は、時刻をカウントしており、あらかじめ設定された間隔、または所定の時刻になると、時刻情報１１２を出力する。環境測定手段１１３は、第２の計時手段１１１から時刻情報が送られてくると、体温記憶装置１１０に装備された気温センサ、及び湿度センサーにより、室温、及び湿度を測定し、第２の計時手段１１１から送られてきた時刻情報１１２と環境測定データを対にして、環境情報１１４として第２の記憶手段１１５に出力する。第２の記憶手段１１５は、環境測定手段１１３から送られた測定時刻を含む環境情報１１４、及び受信手段１１６で受信した体温情報１０４を記憶する。
【００２０】
測定装置１００が体温測定後、体温情報１０４を速やかに体温記憶装置１１０に送信する場合について、図２を用いて説明する。体温測定手段１０３は、第1の計時手段１０１から時刻情報１０２が送られると（ステップ２０１）、体温をセンサにて測定する（ステップ２０２）。時刻情報１０２と体温測定データは、対になった体温情報１０４として、いったん第１の記憶手段１０５に記憶され（ステップ２０３）、送信手段１０６は第１の記憶手段１０５に格納されている時刻と体温を体温情報１０４として送信する（ステップ２０４）。送信が正常に完了すると（ステップ２０５）、第１の記憶手段１０５に格納されている体温情報は消去される（ステップ２０６）。
【００２１】
測定装置１００が体温測定後、体温情報を速やかに体温記憶装置１１０に送信する場合について、体温記憶装置１１０が受信した体温情報１０４と、室温、及び湿度の環境情報１１４を格納する手順について、図３を用いて説明する。受信手段１１５が体温情報１０４を受信すると（ステップ３０１）、第２の記憶手段１１５に空きメモリがあるかどうか調べられ（ステップ３０４）、空きメモリがあれば時系列で最新の格納場所に体温情報１０４が格納される（ステップ３０５）。もし体温情報１０４を受信せず、環境測定手段１１３が第２の計時手段１１１より時刻情報１１２を送られた時は（ステップ３０２）、環境測定手段１１３にて室温、及び湿度を測定し（ステップ３０３）、同様に空きメモリがあるかどうか調べ（ステップ３０２）、空きメモリがあれば時系列に第２の記憶手段１１５の最新の格納場所に環境情報が格納される（ステップ３０５）。空きメモリがない場合は、環境の測定を終了する。
【００２２】
（第二の実施形態）
次に、測定装置１００が体温測定後、体温情報１０４を測定装置１００内の第１の記憶手段１０５に蓄積格納しておき、被測定者が起床時に体温記憶装置１１０に装備する受信手段１１５に装着した時に、体温情報１０４がまとめて転送される一実施形態について説明する。
【００２３】
まず、測定装置１００について図４を用いて説明する。体温測定手段１０３は、第１の計時手段１０１から時刻情報１０２が送られると（ステップ４０１）、体温をセンサにて測定する（ステップ４０２）。時刻情報１０２と体温測定データが対になった体温情報１０４として、第１の記憶手段１０５に記憶される（ステップ４０３）。測定終了かどうか判定され（ステップ４０４）、測定終了条件が成立したら、送信手段１０６は第１の記憶
手段１０５に格納されている全部の時刻と体温を体温情報１０４として送信する（ステップ４０５）。送信が正常に完了すると（ステップ４０６）、第１の記憶手段１０５に格納されている体温情報は消去される（ステップ４０７）。測定終了条件としては、あらかじめ設定された時刻に到達したか、あらかじめ設定された回数に到達したか、または、体温記憶装置１１０に装着されたことを検知する手段を装備しておき、体温記憶装置１１０に装着されたことを検知した時、測定終了条件とするなど、の方法がある。
【００２４】
次に、体温記憶装置１１０が受信した体温情報１０４と、室温、及び湿度の環境情報１１４を格納する手順について、図５、図６及び図７を用いて説明する。
体温記憶装置１１０は、被測定者が就寝中、所定の時間間隔で室温、及び湿度を測定し、測定時間とともに環境情報として、図７のように第２の記憶手段１１５に記憶している。番号は、データの格納された順番を表し、時刻は測定時刻、室温、及び湿度は測定されたデータを表す。
受信手段１１６が体温情報１０４を受信すると、いったん体温情報１０４を図６のように第２の記憶手段１１５に格納する（ステップ５０１）。
まず、図7の最初の環境情報の時刻（２３：３０：００）を読み取り（ステップ５０２）、さらに最初の体温情報の時刻（２３：１５：００）を読み取る（ステップ５０３）。環境情報の時刻と体温情報の時刻を比較し（ステップ５０４）、早い方の時刻の情報を図８の表に格納する。この例では図６、図７のように体温情報の時刻（２３：１５：００）の方が早いので、体温情報を登録する(ステップ５０８)。体温情報が格納されたので、次の体温情報時刻（２３：３０：００）を読み取り（ステップ５０９）、環境情報の時刻と体温情報の時刻を比較し（ステップ５０４）、この例では環境情報の時刻が早いので、図８の表に環境情報を登録する（ステップ５０５）。このように図の体温情報と、図の環境情報の時刻を比較して、すべてのデータの比較が終了したら（ステップ５０７）、終了とする。このような手順により、時系列的に整列した体温情報と環境情報の図８の表が完成する。
【００２５】
図９は、本実施形態を用い、被測定者の体温、及び室温を測定した例である。データ９０１は体温測定装置で測定した体温、データ９０２は体温記憶装置で測定した室温を表す。
【００２６】
図１０は、本実施形態に用いられる体温計の構成例である。図１０（ａ）は体温記憶装置１０００で、室温、湿度を測定する環境センサ１００１、時刻設定などの操作ボタン１００２、時刻、あるいは測定した温度を表示する表示パネル１００３から構成される。図１０（ｂ）は被測定者に装着する体温測定装置１０１０で、体温を測定する体温センサ１０１１、測定した体温情報を送信する送信機１０１２、制御部１０１３から構成される。被測定者の皮膚に貼り付けられるように、体温センサ１０１１側には粘着性のシリコンが塗布されている。
【図面の簡単な説明】
【００２７】
【図１】本発明の一実施形態を示す体温計のブロック図である。
【図２】第一の実施形態に用いられる体温測定装置のＲＯＭに記憶されているプログラムのフローチャートである。
【図３】第一の実施形態に用いられる体温記録装置のＲＯＭに記憶されているプログラムのフローチャートである。
【図４】第二の実施形態に用いられる体温測定装置のＲＯＭに記憶されているプログラムのフローチャートである。
【図５】第二の実施形態に用いられる体温記録装置のＲＯＭに記憶されているプログラムのフローチャートである。
【図６】体温測定装置のＲＡＭに記憶される体温情報を示す図である。
【図７】体温記録装置のＲＡＭに記憶される環境情報を示す図である。
【図８】体温記録装置のＲＡＭに記憶される体温情報および環境情報を示す図である。
【図９】体温情報および環境情報を示す図である。
【図１０】本発明の実施形態に用いられる体温計の概略図である。
【符号の説明】
【００２８】
１００  体温測定装置
１０１  第１の計時手段
１０２  時刻情報
１０３  体温測定手段
１０４  体温情報
１０５  第１の記憶手段
１０６  送信手段
１１０  体温記憶装置
１１１  第２の計時手段
１１２  時刻情報
１１３  環境測定手段
１１４  環境情報
１１５  第２の記憶手段
１１６  受信手段
【図１】
2009074847.tif 000003
【図２】
2009074847.tif 000004
【図３】
2009074847.tif 000005
【図４】
2009074847.tif 000006
【図５】
2009074847.tif 000007
【図６】
2009074847.tif 000008
【図７】
2009074847.tif 000009
【図８】
2009074847.tif 000010
【図９】
2009074847.tif 000011
【図１０】
2009074847.tif 000012